(57)【特許請求の範囲】
【請求項１】
ネットワークに接続されたサーバと、ネットワークを介してサーバと通信可能な音楽再生装置とを含む音楽再生システムであって、
前記音楽再生装置は、
特定ユーザが取得したい歌詞の楽曲の再生時間に関する特定時間情報と、その特定ユーザの属性に関する特定ユーザ情報とを取得する情報取得部と、
前記特定時間情報及び前記特定ユーザ情報を前記サーバへ送信する特定情報送信部と、を備え、
前記サーバは、
多数の楽曲に関連して、楽曲の再生時間に関する多数の時間情報と、多数の歌詞情報と、楽曲を好む一般ユーザの属性に関する多数の一般ユーザ情報と、をそれぞれ対応付けて記憶する記憶部と、
前記特定情報送信部が送信した前記特定時間情報及び前記特定ユーザ情報を受信する受信部と、
前記記憶部に記憶された多数の歌詞情報のうち、前記受信部が受信した前記特定時間情報及び前記特定ユーザ情報と一致する前記時間情報及び前記一般ユーザ情報に対応する歌詞情報を決定する歌詞決定部と、
前記歌詞決定部が決定した歌詞情報を前記音楽再生装置へ送信する歌詞送信部と、
を備えることを特徴とする音楽再生システム。
【請求項２】
前記特定情報送信部は、前記特定ユーザの属性を示す年代及び性別を含む前記特定ユーザ情報を前記サーバへ送信し、
前記記憶部は、前記一般ユーザの属性を示す年代及び性別を含む前記一般ユーザ情報を記憶し、
前記歌詞決定部は、
前記記憶部が記憶する多数の時間情報のうちで、前記特定時間情報と一致する時間情報に関連する楽曲を、特定ユーザが取得したい歌詞の楽曲の楽曲候補として決定する第１決定部と、
前記第１決定部が複数の楽曲を前記楽曲候補として決定したとき、その複数の楽曲候補のうちから、年代または性別が、前記受信部が受信した前記特定ユーザ情報の年代または性別と一致する前記一般ユーザ情報に関連する楽曲を決定する第２決定部とを備え、
前記歌詞決定部は、前記第２決定部が決定した楽曲の前記歌詞情報を決定する、
ことを特徴とする請求項１に記載の前記音楽再生システム。
【請求項３】
前記特定情報送信部は、前記特定時間情報及び前記特定ユーザ情報とともに、再生順序が予め定められた複数の楽曲のうちで、前記特定ユーザが取得したい歌詞の楽曲の前後に再生される楽曲に関する関連情報を送信することを特徴とする請求項１または２に記載の音楽再生システム。
【請求項４】
前記関連情報は、前記特定ユーザが取得したい歌詞の楽曲の直前に再生される前曲と、前記特定ユーザが取得したい歌詞の楽曲の直後に再生される後曲との再生時間に関する時間情報であることを特徴とする請求項３に記載の音楽再生システム。
【請求項５】
前記記憶部は、多数の楽曲について、楽曲の属性に関する多数の楽曲属性情報を、多数の前記時間情報及び多数の前記歌詞情報とそれぞれ対応付けて記憶し、
前記歌詞決定部は、
前記記憶部に記憶された多数の前記楽曲属性情報のうちから、前記特定ユーザが取得したい歌詞の楽曲及び、前記特定ユーザが取得したい歌詞の楽曲の前後に再生される楽曲のうち、少なくとも１つの楽曲の属性に関する特定楽曲属性情報を決定し、
前記受信部が受信した前記特定時間情報及び前記特定ユーザ情報と一致する前記時間情報及び前記一般ユーザ情報に対応し、且つ前記特定楽曲属性情報と一致する前記楽曲属性情報に対応する歌詞情報を決定することを特徴とする請求項３または４に記載の音楽再生システム。
【請求項６】
ネットワークに接続されたサーバと、ネットワークを介してサーバと通信可能な音楽再生装置との間で、情報を通信する音楽再生方法であって、
前記音楽再生装置は、
特定ユーザが取得したい歌詞の楽曲の再生時間に関する特定時間情報と、その特定ユーザの属性に関する特定ユーザ情報とを取得する情報取得ステップと、
前記特定時間情報及び前記特定ユーザ情報を前記サーバへ送信する特定情報送信ステップと、を備え、
多数の楽曲に関連して、楽曲の再生時間に関する多数の時間情報と、多数の歌詞情報と、楽曲を好む一般ユーザの属性に関する多数の一般ユーザ情報と、をそれぞれ対応付けて記憶する記憶部を備える前記サーバは、
前記特定情報送信ステップにより送信された前記特定時間情報及び前記特定ユーザ情報を受信する受信ステップと、
前記記憶部に記憶された多数の歌詞情報のうち、前記受信ステップが受信した前記特定時間情報及び前記特定ユーザ情報と一致する前記時間情報及び前記一般ユーザ情報に対応する歌詞情報を決定する歌詞決定ステップと、
前記歌詞決定ステップにより決定された歌詞情報を前記音楽再生装置へ送信する歌詞送信ステップと、
を備えることを特徴とする音楽再生方法。
【請求項７】
多数の歌詞情報を保有するサーバとネットワークを介して通信する通信部と、
情報を表示する表示部と、
特定ユーザの属性に関する特定ユーザ情報を取得するユーザ情報取得部と、
前記特定ユーザが取得したい歌詞の楽曲の再生時間に関する特定時間情報を取得する時間情報取得部と、
前記特定ユーザ情報と、前記特定時間情報と、をサーバへ送信する特定情報送信部と、
前記特定情報送信部により送信された前記特定ユーザ情報及び前記特定時間情報に基づいて前記サーバが多数の歌詞情報のうちから決定した歌詞情報を前記サーバから受信する受信部と、
前記受信部により受信された歌詞情報を前記表示部に表示させる表示制御部と、
を備えることを特徴とする音楽再生装置。
【請求項８】
多数の歌詞情報を保有するサーバとネットワークを介して通信可能であり、情報を表示する表示部を有する音楽再生装置を制御するコンピュータにより実行される音楽再生プログラムであって、
前記音楽再生装置を使用する特定ユーザの属性に関する特定ユーザ情報を取得するユーザ情報取得ステップと、
前記特定ユーザが取得したい歌詞の楽曲の再生時間に関する特定時間情報を取得する時間情報取得ステップと、
前記特定ユーザ情報と、前記特定時間情報と、をサーバへ送信する特定情報送信ステップと、
前記特定情報送信ステップにより送信された前記特定ユーザ情報及び前記特定時間情報に基づいて前記サーバが多数の歌詞情報のうちから決定した歌詞情報を前記サーバから受信する受信ステップと、
前記受信ステップにより受信された歌詞情報を前記表示部に表示させる表示制御ステップと、
をコンピュータに実行させることを特徴とする音楽再生プログラム。
【発明の詳細な説明】
【技術分野】
【０００１】
本発明は、楽曲の時間と、楽曲を利用するユーザの情報とを用いて、サーバに記憶された複数の楽曲の歌詞の中から、楽曲の正しい歌詞を決定する音楽再生システムに関する。具体的には、サーバに、歌詞が未取得である楽曲の時間情報と、楽曲を利用するユーザの属性情報とを送信し、複数の楽曲の歌詞を記憶するサーバから、楽曲の時間情報及びユーザ情報に従って決定される楽曲の正しい歌詞を受信する音楽再生システム、音楽再生方法、音楽再生装置、及び音楽再生プログラムに関する。
【背景技術】
【０００２】
従来、サーバから楽曲に関する情報を取得する音楽再生装置がある。例えば、特許文献１には、サーバから楽曲に対応する歌詞を取得して表示する音楽再生装置が開示されている。音楽再生装置に装着可能なＣＤなどのディスクは、そのディスクに記憶されている複数の楽曲の演奏開始時間を含む目次情報を記憶している。音楽再生装置の記憶装置は、これまでに発売されたＣＤなどに記憶されている楽曲の演奏開始時間などを記録する多数の目次情報と、多数の楽曲の歌詞とを、歌詞情報データベースとして記憶している。音楽再生装置は、ディスクに記憶されている楽曲について、歌詞情報データベースから楽曲に対応する歌詞を特定し、表示することができる。音楽再生装置は、新たなディスクが装着されたときに、そのディスクに記憶されている目次情報を、歌詞情報データベースの多数の目次情報と比較し、目次情報が一致する歌詞が歌詞情報データベースに記憶されているかを検索する。音楽再生装置は、目次情報が一致する歌詞が、歌詞情報データベースに記憶されているとき、その歌詞を表示する。
【０００３】
目次情報が一致する歌詞が、歌詞情報データベースに存在しない場合、その歌詞を取得するために、音楽再生装置は、データ通信装置を介してサーバにアクセスする。サーバは、市販されているＣＤなどのディスクの目次情報に対応して歌詞を記憶しており、ユーザから送信されてきた目次情報に基づいて、歌詞を検索する。音楽再生装置は、新たなディスクの目次情報をサーバに送信して、サーバから歌詞をダウンロードし、歌詞情報データベースに記憶する。音楽再生装置は、ディスクの目次情報とその目次情報が一致する歌詞をサーバから取得し、歌詞情報データベースに記憶すると、楽曲に対応する歌詞を表示することができる。
【先行技術文献】
【特許文献】
【０００４】
【特許文献１】特開２００５−２５８２４１号公報
【発明の概要】
【発明が解決しようとする課題】
【０００５】
しかしながら、サーバは、目次情報に記憶された演奏開始時間が同一である複数種類の楽曲について複数種類の歌詞を保有していることも考えられる。この場合、目次情報に記憶されている楽曲の演奏開始時間に基づいて歌詞を検索すると、楽曲の演奏開始時間が同一である複数種類の歌詞が、抽出されてしまう。そのため、歌詞を特定するための情報が楽曲の演奏開始時間のみでは、正しい歌詞を決定することができない。
【０００６】
本発明は、上述した問題点を解決するためになされたものである。本発明の目的は、音楽再生装置の特定のユーザが、ユーザに関する情報と対応付けた多数の歌詞を保有するサーバから、歌詞を特定するための情報が楽曲の再生時間に関する時間情報のみである楽曲の歌詞を取得するとき、再生時間に関する時間情報と、その特定ユーザにより指定される特定ユーザの属性に関する特定ユーザ情報とを音楽再生装置からサーバに送信して、正しい歌詞をサーバから取得することができる音楽再生システムを提供することにある。
【課題を解決するための手段】
【０００７】
請求項１記載の音楽再生システムは、ネットワークに接続されたサーバと、ネットワークを介してサーバと通信可能な音楽再生装置とを含む音楽再生システムであって、前記音楽再生装置は、特定ユーザが取得したい歌詞の楽曲の再生時間に関する特定時間情報と、その特定ユーザの属性に関する特定ユーザ情報とを取得する情報取得部と、前記特定時間情報及び前記特定ユーザ情報を前記サーバへ送信する特定情報送信部と、を備え、前記サーバは、多数の楽曲に関連して、楽曲の再生時間に関する多数の時間情報と、多数の歌詞情報と、楽曲を好む一般ユーザの属性に関する多数の一般ユーザ情報と、をそれぞれ対応付けて記憶する記憶部と、前記特定情報送信部が送信した前記特定時間情報及び前記特定ユーザ情報を受信する受信部と、前記記憶部に記憶された多数の歌詞情報のうち、前記受信部が受信した前記特定時間情報及び前記特定ユーザ情報と一致する前記時間情報及び前記一般ユーザ情報に対応する歌詞情報を決定する歌詞決定部と、前記歌詞決定部が決定した歌詞情報を前記音楽再生装置へ送信する歌詞送信部と、を備えることを特徴とするものである。
【０００８】
請求項２記載の音楽再生システムは、前記特定情報送信部は、前記特定ユーザの属性を示す年代及び性別を含む前記特定ユーザ情報を前記サーバへ送信し、前記記憶部は、前記一般ユーザの属性を示す年代及び性別を含む前記一般ユーザ情報を記憶し、前記歌詞決定部は、前記記憶部が記憶する多数の時間情報のうちで、前記特定時間情報と一致する時間情報に関連する楽曲を、特定ユーザが取得したい歌詞の楽曲の楽曲候補として決定する第１決定部と、前記第１決定部が複数の楽曲を前記楽曲候補として決定したとき、その複数の楽曲候補のうちから、年代または性別が、前記受信部が受信した前記特定ユーザ情報の年代または性別と一致する前記一般ユーザ情報に関連する楽曲を決定する第２決定部とを備え、前記歌詞決定部は、前記第２決定部が決定した楽曲の前記歌詞情報を決定することを特徴とするものである。
【０００９】
請求項３記載の音楽再生システムは、前記特定情報送信部は、前記特定時間情報及び前記特定ユーザ情報とともに、再生順序が予め定められた複数の楽曲のうちで、前記特定ユーザが取得したい歌詞の楽曲の前後に再生される楽曲に関する関連情報を送信することを特徴とするものである。
【００１０】
請求項４記載の音楽再生システムは、前記関連情報は、前記特定ユーザが取得したい歌詞の楽曲の直前に再生される前曲と、前記特定ユーザが取得したい歌詞の楽曲の直後に再生される後曲との再生時間に関する時間情報であることを特徴とするものである。
【００１１】
請求項５記載の音楽再生システムは、前記記憶部は、多数の楽曲について、楽曲の属性に関する多数の楽曲属性情報を、多数の前記時間情報及び多数の前記歌詞情報とそれぞれ対応付けて記憶し、前記歌詞決定部は、前記記憶部に記憶された多数の前記楽曲属性情報のうちから、前記特定ユーザが取得したい歌詞の楽曲及び、前記特定ユーザが取得したい歌詞の楽曲の前後に再生される楽曲のうち、少なくとも１つの楽曲の属性に関する特定楽曲属性情報を決定し、前記受信部が受信した前記特定時間情報及び前記特定ユーザ情報と一致する前記時間情報及び前記一般ユーザ情報に対応し、且つ前記特定楽曲属性情報と一致する前記楽曲属性情報に対応する歌詞情報を決定することを特徴とするものである。
【００１２】
請求項６記載の音楽再生方法は、ネットワークに接続されたサーバと、ネットワークを介してサーバと通信可能な音楽再生装置との間で、情報を通信する音楽再生方法であって、前記音楽再生装置は、特定ユーザが取得したい歌詞の楽曲の再生時間に関する特定時間情報と、その特定ユーザの属性に関する特定ユーザ情報とを取得する情報取得ステップと、前記特定時間情報及び前記特定ユーザ情報を前記サーバへ送信する特定情報送信ステップと、を備え、多数の楽曲に関連して、楽曲の再生時間に関する多数の時間情報と、多数の歌詞情報と、楽曲を好む一般ユーザの属性に関する多数の一般ユーザ情報と、をそれぞれ対応付けて記憶する記憶部を備える前記サーバは、前記特定情報送信ステップにより送信された前記特定時間情報及び前記特定ユーザ情報を受信する受信ステップと、前記記憶部に記憶された多数の歌詞情報のうち、前記受信ステップが受信した前記特定時間情報及び前記特定ユーザ情報と一致する前記時間情報及び前記一般ユーザ情報に対応する歌詞情報を決定する歌詞決定ステップと、前記歌詞決定ステップにより決定された歌詞情報を前記音楽再生装置へ送信する歌詞送信ステップと、を備えることを特徴とするものである。
【００１３】
請求項７記載の音楽再生装置は、多数の歌詞情報を保有するサーバとネットワークを介して通信する通信部と、情報を表示する表示部と、特定ユーザの属性に関する特定ユーザ情報を取得するユーザ情報取得部と、前記特定ユーザが取得したい歌詞の楽曲の再生時間に関する特定時間情報を取得する時間情報取得部と、前記特定ユーザ情報と、前記特定時間情報と、をサーバへ送信する特定情報送信部と、前記特定情報送信部により送信された前記特定ユーザ情報及び前記特定時間情報に基づいて前記サーバが多数の歌詞情報のうちから決定した歌詞情報を前記サーバから受信する受信部と、前記受信部により受信された歌詞情報を前記表示部に表示させる表示制御部と、を備えることを特徴とするものである。
【００１４】
請求項８記載の音楽再生プログラムは、多数の歌詞情報を保有するサーバとネットワークを介して通信可能であり、情報を表示する表示部を有する音楽再生装置を制御するコンピュータにより実行される音楽再生プログラムであって、前記音楽再生装置を使用する特定ユーザの属性に関する特定ユーザ情報を取得するユーザ情報取得ステップと、前記特定ユーザが取得したい歌詞の楽曲の再生時間に関する特定時間情報を取得する時間情報取得ステップと、前記特定ユーザ情報と、前記特定時間情報と、をサーバへ送信する特定情報送信ステップと、前記特定情報送信ステップにより送信された前記特定ユーザ情報及び前記特定時間情報に基づいて前記サーバが多数の歌詞情報のうちから決定した歌詞情報を前記サーバから受信する受信ステップと、前記受信ステップにより受信された歌詞情報を前記表示部に表示させる表示制御ステップと、をコンピュータに実行させることを特徴とするものである。
【発明の効果】
【００１５】
請求項１記載の発明によれば、歌詞決定部により、特定時間情報及び特定ユーザ情報に一致する時間情報及び一般ユーザ情報に対応する歌詞情報が、記憶部に記憶された多数の歌詞情報のうちから、決定される。時間情報が同じ楽曲が複数存在する場合であっても、各々の楽曲の歌詞情報と対応付けて記憶される一般ユーザ情報が特定ユーザ情報と一致するとき、その一般ユーザ情報が対応付けられた歌詞情報を、特定ユーザが取得したい楽曲の歌詞情報と正しく決定することができる。
【００１６】
請求項２記載の発明によれば、第１決定部により、記憶部に記憶されている多数の楽曲のうちで、特定時間情報と一致する時間情報に関する楽曲が、楽曲候補として決定される。第１決定部が複数の楽曲候補を決定したとき、決定された複数の楽曲候補から、第２決定部により、年代または性別が特定ユーザ情報の年代または性別と一致する一般ユーザ情報に対応付けられた歌詞情報の楽曲が、特定ユーザが取得したい歌詞の楽曲に決定される。多数の楽曲から段階的に楽曲候補を絞り込む処理により、記憶部が多数の楽曲について記憶する多数の歌詞情報のうちから、特定ユーザが取得したい歌詞情報を正しく決定することができる。
【００１７】
請求項３記載の発明によれば、再生順序が決められた複数の楽曲から、特定ユーザが取得したい歌詞の楽曲の前後に再生される楽曲の関連情報が、特定時間情報及び特定ユーザ情報とともにサーバへ送信される。取得したい歌詞の楽曲に対して、その時間情報が同じである複数の楽曲の歌詞情報が記憶部に存在する場合がある。取得したい歌詞の楽曲の前後に再生される楽曲に対しても、その関連情報と同じ情報を有する楽曲の歌詞情報が、記憶部に存在することがある。取得したい歌詞の楽曲の時間情報により、取得したい歌詞の楽曲を特定できない場合であっても、取得したい歌詞の楽曲の時間情報と、取得したい歌詞の楽曲の前後に再生される楽曲の関連情報とから、歌詞情報が決定される。複数の異なる楽曲について同じ一般ユーザの属性が対応付けられている場合であっても、特定ユーザが取得したい歌詞の楽曲の時間情報に加え、再生順序が予め定められた複数の楽曲の関連情報を送信する。これにより、歌詞決定部は、特定時間情報と、特定ユーザ情報と、関連情報とから、特定ユーザが取得したい歌詞情報を一層正しく決定することができる。
【００１８】
請求項４記載の発明によれば、特定情報送信部により、特定時間情報と、特定ユーザが取得したい歌詞の楽曲の直前及び直後に再生される楽曲の時間情報とが、サーバへ送信される。再生順序が予め定められた複数の楽曲の中でも、特に再生順序が前後する楽曲には、各楽曲を好む一般ユーザの属性として、同じ属性が対応付けられている場合が多い。この場合に、歌詞を取得したい楽曲の特定時間情報と、再生順序が連続する複数の楽曲の時間情報とにより、特定ユーザが取得したい歌詞情報を一層正しく決定することができる。
【００１９】
請求項５記載の発明によれば、記憶部に楽曲属性情報が記憶される。歌詞決定部は、多数の楽曲属性情報及び時間情報から、特定ユーザが取得したい歌詞の楽曲及び、特定ユーザが取得したい歌詞の楽曲の前後に再生される楽曲のうち、少なくとも１つの楽曲を特定するための特定楽曲属性情報を決定する。これにより、特定楽曲属性情報と、楽曲属性情報とから、特定ユーザが取得したい歌詞情報として、受信部が受信した特定時間情報及び特定ユーザ情報と一致する時間情報及び一般ユーザ情報に対応し、且つ特定楽曲属性情報と一致する楽曲属性情報に対応する歌詞情報を一層正しく決定することができる。
【００２０】
請求項６記載の発明によれば、歌詞決定ステップにより、特定時間情報及び特定ユーザ情報に一致する時間情報及び一般ユーザ情報に対応する歌詞情報が、記憶部に記憶された多数の歌詞情報のうちから、決定される。これにより、時間情報が同じである複数の楽曲が存在する場合であっても、多数の楽曲の各々について歌詞情報と対応付けて記憶される一般ユーザ情報が特定ユーザ情報と一致するとき、その一般ユーザ情報と対応付けられた歌詞情報を、特定ユーザが取得したい楽曲の歌詞情報として正しく決定することができる。
【００２１】
請求項７記載の発明によれば、特定ユーザ情報と、特定時間情報とが取得されてサーバへ送信される。その送信された特定ユーザ情報及び特定時間情報に基づいてサーバが多数の歌詞情報の中から決定した歌詞情報が、サーバから受信される。特定ユーザは、楽曲の歌詞情報を保有していない場合であっても、楽曲の再生時間に関する特定時間情報と、特定ユーザ情報とを送信することにより、サーバから取得したい歌詞情報を正しく受信し、表示部に表示させることができる。
【００２２】
請求項８記載の発明によれば、特定ユーザ情報と、特定時間情報とが取得されてサーバへ送信される。その送信された特定ユーザ情報及び特定時間情報に基づいてサーバが多数の歌詞情報の中から決定した歌詞情報が、サーバから受信される。楽曲の歌詞情報を保有していない場合であっても、楽曲の再生時間に関する特定時間情報と、特定ユーザ情報とをサーバに送信することにより、取得したい歌詞情報を正しく受信し、表示させることができる。
【図面の簡単な説明】
【００２３】
【図１】本発明の一実施形態に係る歌詞表示システム１の全体構成を示すシステム構成図である。
【図２】表示端末２０において、各種の文字を表示するディスプレイ２１の表示例を示す外観図である。
【図３】表示端末２０の電気的構成を示すブロック図である。
【図４】歌詞管理サーバ５０の電気的構成を示すブロック図である。
【図５Ａ】本実施形態において、楽曲歌詞記憶情報を記憶する楽曲歌詞情報記憶領域の記憶内容を示す説明図である。
【図５Ｂ】本実施形態において、楽曲ユーザ情報を記憶する楽曲ユーザ情報記憶領域の記憶内容を示す説明図である。
【図６】表示端末２０が実行する楽曲再生表示プログラムの処理手順を示すフローチャートである。
【図７】表示端末２０が実行する楽曲再生表示プログラムにより、歌詞管理サーバ５０へ送信する送信情報の内容を示す説明図である。
【図８】歌詞管理サーバ５０が実行する楽曲特定プログラムの処理手順を示すフローチャートである。
【図９】歌詞管理サーバ５０が実行する楽曲特定プログラムにより抽出される楽曲候補の内容を示す説明図である。
【図１０】歌詞管理サーバ５０が楽曲Ｔａについて実行する楽曲特定プログラムの楽曲絞り込み処理手順を示すフローチャートである。
【図１１】歌詞管理サーバ５０が楽曲Ｔａ−１について実行する楽曲特定プログラムの楽曲絞り込み処理手順を示すフローチャートである。
【図１２】歌詞管理サーバ５０が楽曲Ｔａ＋１について実行する楽曲特定プログラムの楽曲絞り込み処理手順を示すフローチャートである。
【発明を実施するための形態】
【００２４】
以下、本発明の音楽再生システムを、再生される楽曲の歌詞を閲覧可能な歌詞表示システムに適用した一実施形態について説明する。歌詞表示システムにおいては、表示端末と、歌詞管理サーバとが、ネットワークを介して接続されている。表示端末は、再生される楽曲の歌詞を、歌詞管理サーバから取得し、ディスプレイに表示する装置であり、例えば、スマートフォンなどの携帯端末である。歌詞管理サーバは、多数の楽曲に対応する多数の歌詞を記憶し、その多数の歌詞のうちの特定の歌詞を取得するための歌詞取得要求を表示端末から受信し、その歌詞取得要求に応じて、特定の歌詞を表示端末に送信する装置である。歌詞管理サーバは、著作権で保護された歌詞などの情報を提供するサービス提供業者が管理するサーバである。以下、本実施形態について図面を参照して説明する。
【００２５】
［実施形態の構成］
（歌詞表示システムの全体構成）
図１は、本実施形態の歌詞表示システム１の全体構成を示すシステム構成図である。歌詞表示システム１は、表示端末２０と、歌詞管理サーバ５０とを備える。表示端末２０は、インターネットなどのネットワークを介して歌詞管理サーバ５０に接続されており、その歌詞管理サーバ５０との間で情報を送受信する。歌詞管理サーバ５０は、表示端末２０が再生する楽曲の歌詞を、ディスプレイ２１に表示させるため、多数の楽曲に対応する多数の歌詞情報Ｄ１を記憶している。歌詞情報Ｄ１の詳細については、後述する。表示端末２０は、再生する楽曲の歌詞を表示するための歌詞情報Ｄ１を、歌詞管理サーバ５０から取得する。
【００２６】
（画面表示例）
表示端末２０は、タッチパネル式のディスプレイ２１を備える。図２の（Ａ）〜図２の（Ｄ）は、表示端末２０のディスプレイ２１に表示される内容の一例を示す図である。図２の（Ａ）及び図２の（Ｂ）は、歌詞管理サーバ５０へ送信する情報をユーザに選択させるとき、ディスプレイ２１に表示する内容を示す図である。図２の（Ｃ）及び図２の（Ｄ）は、歌詞管理サーバ５０から受信した情報に従ってディスプレイ２１に表示される内容を示す図である。
【００２７】
本実施形態の歌詞表示システム１を使用するとき、ユーザは、ディスプレイ２１にタッチすることにより操作して、自身のユーザ情報を入力する。具体的には、ユーザ情報は、ユーザの属性を示す情報であって、例えば、図２の（Ａ）に示す性別と、年代と、居住国とを含む情報である。ユーザが、ユーザ情報を入力したあと、図２の（Ａ）に示す決定ボタン２１ａを操作することにより、ユーザ情報の登録が完了する。
【００２８】
また、図２の（Ａ）に示す画面と別の画面において、ユーザは、表示端末２０が再生する楽曲を指定することができる。図２の（Ｂ）に示すように、プレイリストがディスプレイ２１に表示される。プレイリストは、ユーザが予め登録した複数の楽曲の再生順序を定めたリストである。表示端末２０が再生する楽曲は、ユーザが、プレイリストのうちで、所望の楽曲の表示にタッチすることにより、指定される。属性情報が、プレイリストの各楽曲に対応付けられている。プレイリストの各楽曲について、属性情報がディスプレイ２１に表示される。例えば、属性情報として、図２の（Ｂ）に示すように、楽曲ごとに、タイトルと、時間情報と、アーティスト名と、アルバム名とが表示される。楽曲によっては、タイトルと、アーティスト名と、アルバム名とは対応して記憶されていない場合がある。属性情報には、少なくとも時間情報が含まれていればよい。この場合、楽曲ごとに、少なくとも時間情報が表示される。尚、本実施形態における時間情報は、その楽曲が再生される再生時間を示す。
【００２９】
再生する楽曲がユーザにより指定されると、三角形のマーカ２１ｂが、図２の（Ｂ）に示す画面において、指定された楽曲の行に表示される。例えば、ユーザが、プレイリストから２曲目の楽曲を指定したとき、マーカ２１ｂが、図２の（Ｂ）に示すように、２曲目の楽曲の行に表示される。
【００３０】
一方、歌詞管理サーバ５０は、後述するように、多数の楽曲の属性情報と、多数の楽曲の歌詞情報とを対応付けて記憶している。表示端末２０は、再生する楽曲の属性情報を歌詞管理サーバ５０へ送信することにより、歌詞管理サーバ５０から再生する楽曲の歌詞情報を取得することが可能である。表示端末２０は、取得した歌詞情報に従って、ディスプレイ２１に再生する楽曲の歌詞を表示することができる。例えば、表示端末２０は、ユーザが、図２の（Ｂ）に示ようにプレイリストの２曲目の楽曲を指定したとき、ユーザ情報と、プレイリストの２曲目の楽曲の時間情報「３：５８」とを歌詞管理サーバ５０に送信する。しかしながら、属性情報として、楽曲の時間情報のみが再生する楽曲に対応付けられているときは、歌詞管理サーバ５０は、時間情報のみから楽曲を特定しなければならない。この場合、歌詞管理サーバ５０が特定する楽曲の精度は高くない。
【００３１】
そこで、表示端末２０は、再生する楽曲が指定されたとき、図２の（Ｂ）に示す破線Ｍで囲われた、再生する楽曲の属性情報と、再生する楽曲と再生順序が前後する楽曲の属性情報とを、ユーザ情報とともに歌詞管理サーバ５０へ送信する。具体的には、ユーザ情報と、プレイリストの２曲目の楽曲の時間情報「３：５８」とともに、２曲目の楽曲と再生順序が前後する、プレイリストの１曲目の楽曲の時間情報「５：０１」と、３曲目の楽曲の時間情報「４：４４」とを、歌詞管理サーバ５０に送信する。
【００３２】
歌詞管理サーバ５０は、表示端末２０から送信されたユーザ情報と、２曲目の時間情報と、１曲目の時間情報と、３曲目の時間情報とから、２曲目の楽曲を特定する。また、歌詞管理サーバ５０は、記憶する多数の楽曲の属性情報を用いて、表示端末２０から送信された時間情報が対応付けされた再生する楽曲及び再生順序が前後する楽曲を特定する。そして、歌詞管理サーバ５０は、特定した再生する楽曲と再生順序が前後する楽曲との属性情報を補完し、補完した属性情報を表示端末２０へ送信する。
【００３３】
歌詞管理サーバ５０は、プレイリストの１曲目の楽曲と、２曲目の楽曲と、３曲目の楽曲とを特定したとき、プレイリストの１曲目から３曲目までの楽曲のそれぞれの属性情報に、タイトルと、アーティスト名と、アルバム名とを補完し、表示端末２０に送信する。表示端末２０は、補完された属性情報を受信すると、図２の（Ｃ）に示すディスプレイ２１の画面に、プレイリストの１曲目と、２曲目と、３曲目の楽曲とについて、タイトルと、時間情報と、アーティスト名と、アルバム名とを表示する。
【００３４】
また、歌詞管理サーバ５０は、表示端末２０から送信された再生する楽曲の時間情報に従って、楽曲の属性情報を特定したとき、特定した楽曲に対応する歌詞情報を表示端末２０へ送信する。表示端末２０は、再生する楽曲の歌詞情報を受信し、歌詞情報に従ってディスプレイ２１に歌詞を表示する。図２の（Ｄ）は、ユーザがプレイリストから２曲目の楽曲を指定したとき、歌詞管理サーバ５０から受信する２曲目の楽曲の歌詞情報に従って歌詞が表示されたディスプレイ２１の表示状態を示す図である。
【００３５】
（表示端末の詳細な構成）
図３は、本実施形態の表示端末２０の電気的構成を示すブロック図である。表示端末２０はＣＰＵ２２を備える。ＣＰＵ２２は、表示端末２０の全体動作を制御する。また、表示端末２０は、構成要素として、ＲＯＭ２３と、ＲＡＭ２４と、ＨＤＤ２５と、ネットワーク接続部２６と、スピーカ２７と、ディスプレイ２１とを備える。ＣＰＵ２２は、これらの構成要素にそれぞれ接続される。ＣＰＵ２２は、ＲＯＭ２３、ＲＡＭ２４、ＨＤＤ２５などの記憶手段と共に、表示端末２０の動作を制御処理するコンピュータを構成する。ＨＤＤ２５は、楽曲情報記憶領域２５１を含む。楽曲情報記憶領域２５１は、楽曲をスピーカ２７から出力させるための楽曲情報を記憶する。楽曲情報には、楽曲の属性情報が対応付けられている。ネットワーク接続部２６は、インターネットなどのネットワークを介して、歌詞管理サーバ５０と通信する。
【００３６】
ＲＯＭ２３は、楽曲再生表示プログラム記憶領域２３１を含む。楽曲再生表示プログラム記憶領域２３１は、楽曲再生表示プログラムを記憶する。表示端末２０は、楽曲再生機能を備え、楽曲再生表示プログラムにより楽曲情報を楽曲再生信号に逐次変換することで、スピーカ２７から楽曲を出力する。楽曲再生表示プログラムの実行により、楽曲情報の変換と同期して、歌詞管理サーバ５０から取得された歌詞情報に従って、楽曲の歌詞がディスプレイ２１に表示される。表示端末２０は、楽曲の再生出力に同期して、楽曲の歌詞をディスプレイ２１に順次表示する。尚、本実施形態において、同期とは、楽曲の再生出力がされるとき、楽曲の再生開始と同時に、ディスプレイ２１に楽曲の歌詞を表示することを示している。また、楽曲の再生開始と同時のほか、楽曲の再生開始を起点として、楽曲の再生開始から所定の時間後にディスプレイ２１に楽曲の歌詞が表示されてもよい。
【００３７】
ＲＡＭ２４は、ユーザ情報記憶領域２４１と、楽曲Ｔａ属性情報記憶領域２４２と、楽曲Ｔａ歌詞情報記憶領域２４３と、楽曲Ｔａ−１属性情報記憶領域２４４と、楽曲Ｔａ＋１属性情報記憶領域２４５とを含む。ユーザ情報記憶領域２４１は、ディスプレイ２１を用いてユーザにより入力されるユーザ情報を記憶する。楽曲Ｔａ属性情報記憶領域２４２は、再生される楽曲Ｔａの属性情報を記憶する。楽曲Ｔａ歌詞情報記憶領域２４３は、再生される楽曲Ｔａの歌詞情報を記憶する。楽曲Ｔａ−１属性情報記憶領域２４４は、表示端末２０により再生される複数の楽曲で構成されるプレイリストの再生順序において、ユーザの指示により再生される楽曲Ｔａの１曲前に順位付けされる楽曲Ｔａ−１の属性情報を記憶する。楽曲Ｔａ＋１属性情報記憶領域２４５は、表示端末２０により再生される複数の楽曲で構成されるプレイリストにおいて、ユーザの指示により再生される楽曲Ｔａの１曲後に順位付けされる楽曲Ｔａ＋１の属性情報を記憶する。
【００３８】
（歌詞管理サーバの詳細な構成）
図４は、本実施形態の歌詞管理サーバ５０の電気的構成を示すブロック図である。歌詞管理サーバ５０はＣＰＵ５２を備える。ＣＰＵ５２は、歌詞管理サーバ５０の全体動作を制御する。また、歌詞管理サーバ５０は、構成要素として、ＲＯＭ５３と、ＲＡＭ５４と、ＨＤＤ５５と、ネットワーク接続部５６とを備える。ＣＰＵ５２は、これらの構成要素にそれぞれ接続される。ＣＰＵ５２は、ＲＯＭ５３、ＲＡＭ５４、ＨＤＤ５５などの記憶手段と共に、歌詞管理サーバ５０の動作を制御処理するコンピュータを構成する。ネットワーク接続部５６は、ネットワークを介して、表示端末２０と通信する。
【００３９】
ＲＯＭ５３は、楽曲特定プログラム記憶領域５３１を含む。楽曲特定プログラム記憶領域５３１は、楽曲特定プログラムを記憶する。歌詞管理サーバ５０は、楽曲特定プログラムにより、楽曲を再生する表示端末２０から送信される楽曲の属性情報に対応する楽曲の歌詞情報を特定する。
【００４０】
ＲＡＭ５４は、楽曲Ｔａ送信情報記憶領域５４１と、楽曲Ｔａ−１送信情報記憶領域５４２と、楽曲Ｔａ＋１送信情報記憶領域５４３と、楽曲Ｔａ楽曲候補記憶領域５４４と、楽曲Ｔａ−１楽曲候補記憶領域５４５と、楽曲Ｔａ＋１楽曲候補記憶領域５４６とを含む。楽曲Ｔａ送信情報記憶領域５４１は、再生される楽曲Ｔａについて表示端末２０から送信される送信情報を記憶する。楽曲Ｔａ−１送信情報記憶領域５４２は、楽曲Ｔａの１曲前に再生順序が順位付けされた楽曲Ｔａ−１について表示端末２０から送信される送信情報を記憶する。楽曲Ｔａ＋１送信情報記憶領域５４３は、楽曲Ｔａの１曲後に再生順序が順位付けされた楽曲Ｔａ＋１について表示端末２０から送信される送信情報を記憶する。楽曲Ｔａ楽曲候補記憶領域５４４は、楽曲Ｔａの楽曲候補を記憶する。楽曲Ｔａ−１楽曲候補記憶領域５４５は、楽曲Ｔａ−１の楽曲候補を記憶する。楽曲Ｔａ＋１楽曲候補記憶領域５４６は、楽曲Ｔａ＋１の楽曲候補を記憶する。尚、各楽曲についての送信情報及び楽曲候補の詳細は、後述する。
【００４１】
ＨＤＤ５５は、楽曲歌詞情報記憶領域５５１と、楽曲ユーザ情報記憶領域５５２とを含む。楽曲歌詞情報記憶領域５５１は、多数の楽曲について、多数の楽曲歌詞情報を記憶する。各楽曲歌詞情報は、楽曲の複数の属性情報と、楽曲の歌詞情報とを含む。図５Ａは、楽曲歌詞情報記憶領域５５１の記憶内容を示す概念図である。図５Ａに示すように、多数の楽曲歌詞情報の各々において、楽曲の再生時間を示す時間情報と、楽曲のタイトルと、楽曲のアーティスト名と、楽曲のアルバム名と、楽曲の歌詞を表示させるための歌詞情報とが対応付けられている。楽曲ユーザ情報記憶領域５５２は、多数の楽曲について、多数の楽曲ユーザ情報を記憶する。各楽曲ユーザ情報は、楽曲の複数の属性情報と、その楽曲を好む一般ユーザの属性を示すユーザ情報とを含む。図５Ｂは、楽曲ユーザ情報記憶領域５５２の記憶内容を示す概念図である。図５Ｂに示すように、楽曲ユーザ情報の各々は、楽曲の再生時間を示す時間情報と、楽曲のタイトルと、アーティスト名と、アルバム名とに、楽曲を好む一般ユーザの性別と、ユーザの年齢と、ユーザの居住国とが対応付けられている。
【００４２】
［実施形態の動作及び作用］
以上、説明した構成からなる本実施形態の歌詞表示システム１の動作及び作用について、図６〜図１２を参照して説明する。図６は、楽曲再生表示プログラムに従う表示端末２０の処理手順を示すフローチャートである。図７は、図６に示す表示端末２０の処理手順の過程で、歌詞管理サーバ５０に送信する楽曲の送信情報の内容を示す図である。図８は、楽曲特定プログラムに従う歌詞管理サーバ５０の処理手順を示すフローチャートである。図９は、図８に示す歌詞管理サーバ５０の処理手順の過程で抽出される楽曲候補の内容を示す図である。図１０と、図１１と、図１２とは、サブルーチンプログラムに従う歌詞管理サーバ５０の楽曲絞り込み処理手順をそれぞれ示すフローチャートである。表示端末２０及び歌詞管理サーバ５０は、内部電源、又はコンセントを介して商用電源などの外部電源と接続されたことにより、起動する。
【００４３】
（表示端末の楽曲再生表示処理）
まず、図２の（Ａ）〜図２の（Ｄ）と、図６と、図７とを用いて、表示端末２０の楽曲再生表示処理を説明する。表示端末２０には、アプリケーションソフトウエアがインストールされており、このアプリケーションソフトウエアに含まれる楽曲再生表示プログラムが実行される。図６に示す各ステップの処理は、ＣＰＵ２２により実行される。
【００４４】
ユーザが、ディスプレイ２１の画面上の図示外の開始ボタンを操作すると、楽曲再生表示プログラムの実行が開始され、図６に示す楽曲再生表示処理は実行される。最初にステップＳ２０１で、複数の楽曲の再生順序が定められたプレイリストが表示される。具体的には、楽曲の属性情報の一覧を示すプレイリストが、ディスプレイ２１に表示される。そのプレイリストは、ＨＤＤ２５の楽曲情報記憶領域２５１に記憶された複数の楽曲情報に従って楽曲を再生する再生順序を示す。
【００４５】
ステップＳ２０２では、ディスプレイ２１に表示されたプレイリストから再生する楽曲が、ユーザにより指定されたか否かが判断される。再生する楽曲が指定されたと判断されると（ステップＳ２０２：ＹＥＳ）、ステップＳ２０３の処理が実行される。再生する楽曲が指定されたと判断されないとき（ステップＳ２０２：ＮＯ）、ステップＳ２０２の処理が繰り返される。
【００４６】
ステップＳ２０３では、ユーザ情報が登録済みであるか否かが判断される。ステップＳ２０３では、ＲＡＭ２４のユーザ情報記憶領域２４１に、ユーザ情報が記憶されているとき、ユーザ情報が登録済みであると判断される。ユーザ情報が登録済みであると判断されると（ステップＳ２０３：ＹＥＳ）、ステップ２０７が実行される。ユーザ情報が登録済みであると判断されないと（ステップＳ２０３：ＮＯ）、ステップ２０４が実行される。
【００４７】
ステップＳ２０４では、図２の（Ａ）に示すユーザ情報を登録するための画面が、ディスプレイ２１に表示される。ユーザは、ディスプレイ２１の表示に従って、性別と、年代と、居住国とのユーザ情報を入力する。ユーザは、ユーザ情報を入力すると、図２の（Ａ）に示す決定ボタン２１ａを操作する。
【００４８】
ステップＳ２０５では、ユーザが決定ボタン２１ａを操作したとき、ユーザの性別と、年代と、居住国とのユーザ情報が指定されているか否かが判断される。ユーザ情報が指定されていると判断されると（ステップＳ２０５：ＹＥＳ）、ステップＳ２０６が実行される。ユーザ情報が指定されていると判断されないと（ステップＳ２０５：ＮＯ）、ステップＳ２０５の処理が繰り返される。
【００４９】
ステップＳ２０６では、ステップ２０５において指定されていると判断されたユーザ情報が、ユーザ情報記憶領域２４１に記憶される。
【００５０】
ステップＳ２０７では、ユーザにより指定された再生する楽曲の属性情報が、ＨＤＤ２５の楽曲情報記憶領域２５１から読み出され、楽曲Ｔａの属性情報として、楽曲Ｔａ属性情報記憶領域２４２に記憶される。例えば、図２の（Ｂ）に示すプレイリストから２曲目の楽曲が指定されたとき、２曲目の楽曲の属性情報としては、時間情報のみが記憶されている。この場合、ステップＳ２０７では、楽曲Ｔａ属性情報記憶領域２４２に、２曲目の時間情報「３：５８」が記憶される。
【００５１】
ステップＳ２０８では、ステップＳ２０７において属性情報が楽曲Ｔａ属性情報記憶領域２４２に記憶された楽曲Ｔａより、１曲前に再生順序が設定されている楽曲の属性情報が、ＨＤＤ２５の楽曲情報記憶領域２５１から読み出される。楽曲情報記憶領域２５１から読み出された楽曲の属性情報が、楽曲Ｔａ−１の属性情報として、楽曲Ｔａ−１属性情報記憶領域２４４に記憶される。例えば、図２の（Ｂ）に示すプレイリストにおいては、１曲目の楽曲が楽曲Ｔａ−１である。図２の（Ｂ）のプレイリストの１曲目の楽曲の属性情報は、時間情報のみが記憶されている。この場合、ステップＳ２０８では、楽曲Ｔａ−１属性情報記憶領域２４４に、１曲目の時間情報「５：０１」が記憶される。
【００５２】
ステップＳ２０９では、ステップＳ２０７において属性情報が楽曲Ｔａ属性情報記憶領域２４２に記憶された楽曲Ｔａより再生順序が１曲後に設定されている楽曲の属性情報が、ＨＤＤ２５の楽曲情報記憶領域２５１から読み出される。読み出された楽曲の属性情報は、楽曲Ｔａ＋１の属性情報として、楽曲Ｔａ＋１属性情報記憶領域２４５に記憶される。例えば、図２の（Ｂ）に示すプレイリストにおいては、３曲目の楽曲が楽曲Ｔａ＋１である。図２の（Ｂ）のプレイリストの３曲目の楽曲の属性情報は、時間情報のみが記憶されている。この場合、ステップＳ２０９では、楽曲Ｔａ＋１属性情報記憶領域２４５に、３曲目の時間情報「４：４４」が記憶される。
【００５３】
ステップＳ２１０では、ユーザ情報記憶領域２４１に記憶されたユーザ情報と、楽曲Ｔａ属性情報記憶領域２４２に記憶された楽曲Ｔａの属性情報と、楽曲Ｔａ−１属性情報記憶領域２４４に記憶された楽曲Ｔａ−１の属性情報と、楽曲Ｔａ＋１属性情報記憶領域２４５に記憶された楽曲Ｔａ＋１の属性情報とが読み出される。
【００５４】
ステップＳ２１１では、ステップＳ２１０において読み出された楽曲Ｔａ−１の属性情報と、楽曲Ｔａの属性情報と、楽曲Ｔａ＋１の属性情報とに、ユーザ情報が対応付けられて、楽曲Ｔａ−１送信情報と、楽曲Ｔａ送信情報と、楽曲Ｔａ＋１送信情報とが生成される。各楽曲の送信情報は、各楽曲の属性情報に、ユーザ情報記憶領域２４１に記憶されているユーザ情報が付加された情報である。ステップ２１１が実行されると、図７に示すように、楽曲Ｔａ−１送信情報と、楽曲Ｔａ送信情報と、楽曲Ｔａ＋１送信情報とが生成される。
【００５５】
ステップＳ２１２では、ステップＳ２１１において生成された楽曲Ｔａ−１送信情報と、楽曲Ｔａ送信情報と、楽曲Ｔａ＋１送信情報とが、歌詞管理サーバ５０へ送信される。
【００５６】
ステップＳ２１３では、歌詞管理サーバ５０から、楽曲Ｔａの歌詞情報を受信したか否かが判断される。楽曲Ｔａの歌詞情報を受信したと判断されると（ステップＳ２１３：ＹＥＳ）、ステップＳ２１４の処理が実行される。楽曲Ｔａの歌詞情報を受信したと判断されないと（ステップＳ２１３：ＮＯ）、ステップＳ２１３の処理が繰り返し実行される。尚、ステップＳ２１３において、歌詞管理サーバ５０から、楽曲Ｔａの歌詞情報とともに、楽曲Ｔａ−１の属性情報と、楽曲Ｔａの属性情報と、楽曲Ｔａ＋１の属性情報とを受信したか否かが、同時に判断されてもよい。
【００５７】
ステップＳ２１４では、ステップＳ２１３において受信したと判断された楽曲Ｔａの歌詞情報がＲＡＭ２４の楽曲Ｔａ歌詞情報記憶領域２４３に記憶される。
【００５８】
ステップＳ２１５では、楽曲の属性情報を受信したか否かが判断される。楽曲の属性情報を受信したと判断されたとき（ステップＳ２１５：ＹＥＳ）、ステップＳ２１６の処理が実行される。楽曲の属性情報を受信したと判断されないとき（ステップＳ２１５：ＮＯ）、ステップＳ２１７の処理が実行される。尚、ステップＳ２１５において受信したと判断する楽曲の属性情報は、楽曲Ｔａ−１の属性情報と、楽曲Ｔａの属性情報と、楽曲Ｔａ＋１の属性情報とのすべてであってもよく、または、いずれかの楽曲の属性情報であってもよい。
【００５９】
ステップＳ２１６では、歌詞管理サーバ５０から受信したと判断された楽曲の属性情報が、ＨＤＤ２５の楽曲情報記憶領域２５１に記憶される楽曲情報に対応付けて、属性情報記憶領域２４２、２４４、２４５のいずれかに記憶される。また、ステップＳ２１６が実行されると、ディスプレイ２１の表示内容は図２の（Ｃ）に示す状態となる。
【００６０】
ステップＳ２１７では、歌詞管理サーバ５０から受信した楽曲Ｔａの歌詞情報に従って、楽曲Ｔａの歌詞がディスプレイ２１に表示される。ステップＳ２１７が実行されると、ディスプレイ２１には、図２の（Ｄ）に示すように再生する楽曲の歌詞が表示される。
【００６１】
ステップＳ２１８では、楽曲再生表示プログラムの終了が指示されたか否かが判断される。表示端末２０に備えられる図示外の終了ボタンが操作されたことが判断されると、終了指示が行われたと判断され、楽曲再生表示プログラムが終了する。具体的には、楽曲再生表示プログラムの終了が指示されたと判断されたとき（ステップＳ２１８：ＹＥＳ）、楽曲再生表示プログラムが終了される。楽曲再生表示プログラムの終了が指示されたと判断されないとき（ステップＳ２１８：ＮＯ）、ステップＳ２１９の処理が実行される。
【００６２】
ステップＳ２１９では、楽曲のプレイリストの表示が指示されたか否かが判断される。ステップＳ２１７において、楽曲Ｔａの歌詞がディスプレイ２１に表示されたとき、ディスプレイ２１には、歌詞とともにプレイリストを表示する指示を受け付ける図示外の指示ボタンが表示される。ユーザにより、指示ボタンがタッチされたとき、楽曲のプレイリストを表示する指示が検知されることにより、プレイリストの表示が指示されたことが判断される。楽曲のプレイリストの表示が指示されたと判断されたとき（ステップＳ２１９：ＹＥＳ）、ステップＳ２０１の処理が実行される。楽曲のプレイリストの表示が指示されたと判断されないとき（ステップＳ２１５：ＮＯ）、ステップＳ２１８の処理が実行される。
【００６３】
（歌詞管理サーバの楽曲特定処理）
次に、図８〜図１２を用いて、歌詞管理サーバ５０の楽曲特定処理を説明する。図８、図１０〜図１２に示す各ステップの処理は、ＣＰＵ５２により実行される。
【００６４】
ステップＳ５０１では、楽曲Ｔａ−１送信情報と、楽曲Ｔａ送信情報と、楽曲Ｔａ＋１送信情報とが受信されたか否かが判断される。受信されたと判断されると（ステップＳ５０１：ＹＥＳ）、ステップＳ５０２の処理が実行される。受信されたと判断されないと（ステップＳ５０１：ＹＥＳ）、ステップＳ５０１の処理が繰り返される。
【００６５】
ステップＳ５０２では、ステップＳ５０１において受信されたと判断された楽曲Ｔａ−１送信情報と、楽曲Ｔａ送信情報と、楽曲Ｔａ＋１送信情報とが記憶される。楽曲Ｔａ送信情報は、楽曲Ｔａ送信情報記憶領域５４１に記憶される。楽曲Ｔａ−１送信情報は、楽曲Ｔａ−１送信情報記憶領域５４２に記憶される。楽曲Ｔａ＋１送信情報は、楽曲Ｔａ＋１送信情報記憶領域５４３に記憶される。
【００６６】
ステップＳ５１０では、ステップＳ５０１により受信された楽曲Ｔａ送信情報を用いて、図１０に示す楽曲Ｔａの属性情報の候補を絞り込む楽曲Ｔａ絞り込み処理が実行される。
【００６７】
＜楽曲Ｔａ絞り込み処理＞
ステップＳ５１１では、楽曲Ｔａ送信情報と、図５Ａに示すＨＤＤ５５の楽曲歌詞情報記憶領域５５１に記憶された楽曲歌詞情報とが比較される。
【００６８】
ステップＳ５１２では、ステップＳ５１１で比較された結果、楽曲Ｔａ送信情報のうちの属性情報と属性情報が一致する楽曲歌詞情報が、楽曲歌詞情報記憶領域５５１に存在するか否かが判断される。楽曲Ｔａ送信情報のうちの属性情報と属性情報が一致する楽曲歌詞データが存在すると判断されると（ステップＳ５１２：ＹＥＳ）、ステップＳ５１３が実行される。楽曲Ｔａ送信情報のうちの属性情報と属性情報が一致する楽曲歌詞データが存在すると判断されないと（ステップＳ５１２：ＮＯ）、楽曲Ｔａ絞り込み処理が終了される。
【００６９】
ステップＳ５１３では、楽曲Ｔａの属性情報の候補が絞り込まれる。具体的には、楽曲Ｔａの時間情報と時間情報が一致する楽曲ユーザ情報が、ＨＤＤ５５の楽曲ユーザ情報記憶領域５５２から抽出されることにより、楽曲Ｔａの属性情報の候補が、その抽出された楽曲ユーザ情報の属性情報に絞り込まれる。ステップＳ５１３の処理が実行されると、楽曲Ｔａの時間情報と時間情報が一致する楽曲ユーザ情報として、例えば、図９の（Ｂ）に示す３曲分の楽曲ユーザ情報が抽出される。図９の（Ｂ）に示す３曲分の楽曲ユーザ情報は、時間情報が「３：５８」である点で一致している。
【００７０】
ステップＳ５１４では、楽曲Ｔａの時間情報と時間情報が一致する楽曲ユーザ情報が、楽曲ユーザ情報記憶領域５５２に１曲分存在するか否かが判断される。ステップＳ５１４において、楽曲ユーザ情報が１曲分存在すると判断されると（ステップＳ５１４：ＹＥＳ）、ステップＳ５１８の処理が実行される。楽曲ユーザ情報が１曲分存在すると判断されないと（ステップＳ５１４：ＮＯ）、ステップＳ５１５の処理が実行される。すなわち、ステップＳ５１４において、楽曲ユーザ情報が１曲分存在すると判断されるとき（ステップＳ５１４：ＹＥＳ）、楽曲Ｔａは、時間情報のみから楽曲が特定され、楽曲Ｔａの属性情報が決定される。
【００７１】
ステップＳ５１５では、楽曲Ｔａの属性情報の候補が絞り込まれる。ステップＳ５１３において絞り込まれた楽曲Ｔａの属性情報の候補から、楽曲Ｔａのユーザ情報とユーザ情報が一致する楽曲ユーザ情報が抽出される。これにより、楽曲Ｔａの属性情報の候補が、その抽出された楽曲ユーザ情報の属性情報に絞り込まれる。ステップＳ５１５の処理が実行されると、楽曲Ｔａのユーザ情報とユーザ情報が一致する楽曲ユーザ情報として、例えば、図９の（Ｃ）に示す２曲分の楽曲ユーザ情報が抽出される。図９の（Ｃ）に示す２曲分の楽曲ユーザ情報は、ユーザ情報の性別、年代、及び居住国の点で一致している。
【００７２】
ステップＳ５１６では、楽曲Ｔａの時間情報と一致し、且つ楽曲Ｔａのユーザ情報と一致する楽曲ユーザ情報が、楽曲ユーザ情報記憶領域５５２に１曲分存在するか否かが判断される。ステップＳ５１６において、楽曲ユーザ情報が１曲分存在すると判断されると（ステップＳ５１６：ＹＥＳ）、ステップＳ５１８の処理が実行される。楽曲ユーザ情報が１曲分存在すると判断されないと（ステップＳ５１６：ＮＯ）、ステップＳ５１７の処理が実行される。
【００７３】
ステップＳ５１７では、ステップＳ５１５の処理により抽出された複数曲分の楽曲ユーザ情報の複数の属性情報、すなわち楽曲Ｔａの複数の楽曲候補の複数の属性情報が、ＲＡＭ５４の楽曲Ｔａ楽曲候補記憶領域５４４に記憶される。
【００７４】
ステップＳ５１８では、ステップＳ５１４またはステップＳ５１６の処理により抽出された１曲分の楽曲ユーザ情報も属性情報、すなわち楽曲Ｔａの属性情報が、ＲＡＭ５４の楽曲Ｔａ楽曲候補記憶領域５４４に記憶される。
【００７５】
＜楽曲Ｔａ−１絞り込み処理＞
ステップＳ５１１〜ステップＳ５１８の楽曲Ｔａ絞り込み処理が完了されると、ステップＳ５２０の楽曲Ｔａ−１絞り込み処理が実行される。図１１は、楽曲Ｔａ−１絞り込み処理を示すフローチャートである。楽曲Ｔａ−１の絞り込み処理の詳細は、前述した楽曲Ｔａの絞り込み処理において、抽出対象の楽曲Ｔａが楽曲Ｔａ−１となった点を除いては、処理方法は同様であるため、説明を省略する。図１１に示すステップＳ５２１〜ステップＳ５２８の処理は、ステップＳ５１１〜ステップＳ５１８の処理にそれぞれ対応する。楽曲Ｔａ−１の絞り込み処理が実行されると、楽曲Ｔａ−１のユーザ情報とユーザ情報が一致する楽曲ユーザ情報として、例えば、図９の（Ｄ）に示す１曲分の楽曲ユーザ情報が抽出される。図９の（Ｄ）に示す１曲分の楽曲ユーザ情報は、時間情報が「５：０１」である点で一致している。抽出された１曲分の楽曲ユーザ情報の属性情報、または複数曲分の楽曲ユーザ情報の複数の属性情報は、楽曲候補として記憶領域に記憶される。すなわち、楽曲Ｔａ−１の属性情報、または楽曲Ｔａ−１の複数の楽曲候補の複数の属性情報が、ＲＡＭ５４の楽曲Ｔａ−１楽曲候補記憶領域５４５に記憶される。
【００７６】
＜楽曲Ｔａ＋１絞り込み処理＞
ステップＳ５２１〜ステップＳ５２８の楽曲Ｔａ−１絞り込み処理が完了されると、ステップＳ５３０の楽曲Ｔａ＋１絞り込み処理が実行される。図１２は、楽曲Ｔａ＋１絞り込み処理を示すフローチャートである。楽曲Ｔａ＋１の絞り込み処理の詳細は、前述した楽曲Ｔａの絞り込み処理において、抽出対象の楽曲Ｔａが楽曲Ｔａ＋１となった点を除いては、処理方法は同様であるため、説明を省略する。図１２に示すステップＳ５３１〜ステップＳ５３８の処理は、ステップＳ５１１〜ステップＳ５１８の処理にそれぞれ対応する。楽曲Ｔａ＋１の絞り込み処理が実行されると、楽曲Ｔａ＋１のユーザ情報とユーザ情報が一致する楽曲ユーザ情報として、例えば、図９の（Ｅ）に示す１曲分の楽曲ユーザ情報が抽出される。図９の（Ｅ）に示す１曲分の楽曲ユーザ情報は、時間情報が「４：４４」である点で一致している。抽出された１曲分の楽曲ユーザ情報の属性情報、または複数曲分の楽曲ユーザ情報の複数の属性情報は、楽曲候補として記憶領域に記憶される。すなわち、楽曲Ｔａ＋１の属性情報、または楽曲Ｔａ＋１の複数の楽曲候補の複数の属性情報が、ＲＡＭ５４の楽曲Ｔａ＋１楽曲候補記憶領域５４６に記憶される。
【００７７】
ステップＳ５３０の楽曲Ｔａ＋１絞り込み処理が完了すると、ステップＳ５４１では、ＲＡＭ５４の楽曲Ｔａ楽曲候補記憶領域５４４に記憶された楽曲Ｔａの楽曲候補の属性情報が読み出される。
【００７８】
ステップＳ５４２では、楽曲Ｔａの楽曲候補の属性情報が複数存在するか否かが判断される。楽曲Ｔａの楽曲候補の属性情報が複数存在すると判断されると（ステップＳ５４２：ＹＥＳ）、ステップＳ５４３の処理が実行される。
【００７９】
ステップＳ５４３では、ＲＡＭ５４の楽曲Ｔａ−１楽曲候補記憶領域５４５に記憶された楽曲Ｔａ−１の楽曲候補の属性情報が読み出される。
【００８０】
ステップＳ５４４では、ＲＡＭ５４の楽曲Ｔａ＋１楽曲候補記憶領域５４６に記憶された楽曲Ｔａ＋１の楽曲候補の属性情報が読み出される。
【００８１】
ステップＳ５４５では、ステップＳ５１０〜ステップＳ５３０により抽出された楽曲Ｔａ−１の楽曲候補の属性情報と、楽曲Ｔａの楽曲候補の属性情報と、楽曲Ｔａ＋１の楽曲候補の属性情報とを比較し、共通する属性情報を特定する。特定した結果により、楽曲Ｔａが１曲に特定可能であるか否かが判断される。楽曲Ｔａが特定可能であると判断されると（ステップＳ５４５：ＹＥＳ）、ステップＳ５４７の処理が実行される。楽曲Ｔａが特定可能であると判断されないと（ステップＳ５４５：ＮＯ）、ステップＳ５４６の処理が実行される。ステップＳ５４５が実行されると、例えば、図９の（Ｃ）と、図９の（Ｄ）と、図９の（Ｅ）とにそれぞれ示す楽曲ユーザ情報の属性情報を用いて、共通する属性情報として「アーティスト名」を特定する。そして、図９の（Ｆ）に示す楽曲ユーザ情報が、共通の「アーティスト名」を含む楽曲ユーザ情報として特定される。この特定された楽曲ユーザ情報により、楽曲Ｔａが特定される。
【００８２】
ステップＳ５４６では、ステップＳ５４５において絞り込み候補が比較された複数の楽曲Ｔａの候補から、最も属性情報が近い楽曲が抽出される。「属性情報が近い」とは、楽曲Ｔａの複数の楽曲候補のうちで、楽曲Ｔａ−１の楽曲候補及び楽曲Ｔａ＋１の楽曲候補と、「タイトル」、「アーティスト名」及び「アルバム名」などの複数の属性情報の一致する数が多いことを意味する。
【００８３】
ステップＳ５４７では、ステップＳ５４５において特定された、またはステップＳ５４６において抽出された楽曲Ｔａの属性情報が、ＲＡＭ５４の楽曲Ｔａ送信情報記憶領域５４１に記憶される。
【００８４】
ステップＳ５４８では、楽曲歌詞情報記憶領域５５１に、楽曲Ｔａ送信情報記憶領域５４１に記憶された属性情報と属性情報が一致する楽曲歌詞情報の歌詞情報が存在するか否かが判断される。楽曲Ｔａ送信情報記憶領域５４１の属性情報と属性情報が一致する楽曲歌詞情報の歌詞情報が存在すると判断されると（ステップＳ５４８：ＹＥＳ）、ステップＳ５４９が実行される。楽曲Ｔａ送信情報記憶領域５４１の属性情報と属性情報が一致する楽曲歌詞情報の歌詞情報が存在すると判断されないと（ステップＳ５４８：ＮＯ）、ステップＳ５５０が実行される。
【００８５】
ステップＳ５４９では、楽曲Ｔａの属性情報と、楽曲歌詞情報記憶領域５５１に記憶された楽曲Ｔａの歌詞情報とが、表示端末２０へ送信される。
【００８６】
ステップＳ５５０では、楽曲Ｔａの属性情報が、表示端末２０へ送信される。尚、ステップＳ５４９またはステップＳ５５０において、楽曲Ｔａの属性情報が送信されるとき、楽曲Ｔａ−１の属性情報と、楽曲Ｔａ＋１の属性情報とが追加して送信されてもよい。
【００８７】
［実施形態の効果］
本実施形態では、歌詞を取得したい楽曲Ｔａの時間情報とともに、楽曲Ｔａ−１の時間情報と、楽曲Ｔａ＋１の時間情報とが、歌詞管理サーバ５０へ送信される。楽曲Ｔａと、楽曲Ｔａ−１と、楽曲Ｔａ＋１とに、属性情報が付与されている場合は、各楽曲の時間情報とともに、属性情報が歌詞管理サーバ５０へ送信される。複数の楽曲の時間情報が送信されるため、楽曲Ｔａを特定する過程で、楽曲Ｔａ−１及び楽曲Ｔａ＋１を特定することも可能である。特定される楽曲Ｔａ−１及び楽曲Ｔａ＋１から、楽曲Ｔａを特定することにより、正確、且つ迅速に楽曲Ｔａを特定することができる。また、属性情報が送信されることにより、歌詞管理サーバ５０は、時間情報のみからでは楽曲Ｔａを特定できない場合にも、属性情報により楽曲Ｔａを特定することができる。例えば、楽曲Ｔａの属性情報に時間情報のみが記憶されており、楽曲Ｔａ−１及び楽曲Ｔａ＋１の属性情報に、楽曲Ｔａと同一のアーティスト名またはアルバム名が記憶されているときは、特に有効である。ユーザが表示端末２０で複数の楽曲を連続して再生する場合には、その複数の楽曲は、同一のアーティスト名またはアルバム名の楽曲であることが多い。楽曲Ｔａのアーティスト名またはアルバム名を、楽曲Ｔａ−１及び楽曲Ｔａ＋１の属性情報に記憶されたアーティスト名またはアルバム名から、楽曲Ｔａ−１及び楽曲Ｔａ＋１のアーティスト名またはアルバム名と同一であると推定する。これにより、楽曲Ｔａの時間情報と一致する楽曲候補が複数存在する場合であっても、複数の楽曲候補の歌詞情報のうちから楽曲Ｔａの歌詞情報として１つの歌詞情報を決定することができる。
【００８８】
［本発明と実施形態との構成の対応関係］
本実施形態において、歌詞表示システム１が、本発明の音楽再生システムの一例である。本実施形態の歌詞管理サーバ５０が、本発明のサーバの一例である。本実施形態の表示端末２０が、本発明の音楽再生装置の一例である。本実施形態のディスプレイ２１が、本発明の表示部の一例であり、ネットワーク接続部２６が、本発明の通信部の一例である。本実施形態の楽曲再生表示プログラムが、本発明の音楽再生プログラムの一例である。
【００８９】
本実施形態の表示端末２０が送信する、楽曲が再生される再生時間を示す時間情報が、本発明の特定時間情報の一例である。本実施形態のディスプレイ２１によりユーザに入力される性別と、年代と、居住国とを含むユーザの属性を示す情報が、特定ユーザ情報の一例である。
【００９０】
本実施形態ＣＰＵ２２及びステップＳ２１０が、本発明の特定情報取得部の一例である。本実施形態のＣＰＵ２２のステップＳ２１０の処理が、ユーザ情報取得部である。本実施形態のＣＰＵ２２のステップＳ２１０の処理により、ユーザ情報がユーザ情報記憶領域２４１から読み出されることが、ユーザ情報取得ステップの一例である。また、本実施形態のＣＰＵ２２のステップＳ２１０の処理が、本発明の時間情報取得部である。本実施形態のＣＰＵ２２のステップＳ２１０の処理により、楽曲Ｔａの時間情報が楽曲Ｔａ属性情報記憶領域２４２から読み出されることが、時間情報取得ステップの一例である。本実施形態のＣＰＵ２２のステップＳ２１０の処理により、ユーザ情報と、楽曲Ｔａの時間情報とが読み出されることが、情報取得ステップの一例である。本実施形態のＣＰＵ２２及びステップＳ２１２の処理と、ネットワーク接続部２６とが、本発明の特定情報送信部の一例である。ＣＰＵ２２のステップＳ２１２の処理により、歌詞管理サーバ５０へ、楽曲の時間情報と特定ユーザ情報とを送信することが、本発明の特定情報送信ステップの一例である。本実施形態のＣＰＵ２２及びステップＳ２１３の処理と、ネットワーク接続部２６とが、本発明の受信部の一例である。ＣＰＵ２２のステップＳ２１３の処理により、歌詞管理サーバ５０から、歌詞情報を受信することが、受信ステップの一例である。本実施形態のＣＰＵ２２及びステップＳ２１７の処理と、本発明の表示制御部の一例であり、ＣＰＵ２２のステップＳ２１７の処理により、楽曲Ｔａの歌詞をディスプレイ２１に表示することが、表示制御ステップの一例である。
【００９１】
本実施形態の楽曲歌詞情報記憶領域５５１に記憶された楽曲歌詞情報に含まれる楽曲の時間情報が、本発明の時間情報の一例であり、楽曲歌詞情報に含まれる楽曲の歌詞情報が、歌詞情報の一例である。また、本実施形態の歌詞管理サーバ５０の楽曲ユーザ情報記憶領域５５２に記憶される楽曲ユーザ情報の楽曲に対応付けられたユーザの性別と年齢と居住国とが、本発明の一般ユーザ情報の一例である。本実施形態のＨＤＤ５１が、本発明の記憶部の一例である。本実施形態のＣＰＵ５２及びステップＳ５０１の処理と、ネットワーク接続部５６とが、本発明の受信部の一例である。本実施形態のＣＰＵ５２及びステップＳ５４８の処理が、歌詞決定部の一例であり、本実施形態のＣＰＵ５２及びステップＳ５４８の処理により、楽曲Ｔａに対応する歌詞情報が存在すると判断することが、歌詞決定ステップの一例である。本実施形態のＣＰＵ５２及びステップＳ５４９の処理が、歌詞送信部の一例であり、ＣＰＵ５２及びステップＳ５４９の処理により、歌詞情報が送信することが、歌詞送信ステップの一例である。
【００９２】
本実施形態のＣＰＵ５２及びステップＳ５１３の処理により、時間情報が楽曲Ｔａの時間情報と一致する楽曲が絞り込みされた結果である図９の（Ｂ）に示す複数の楽曲ユーザ情報が、楽曲候補の一例である。本実施形態のＣＰＵ５２及びステップＳ５１３の処理が、第１決定部の一例であり、ＣＰＵ５２及びステップＳ５１５の処理が、第２決定部の一例である。本実施形態の楽曲Ｔａ−１及び楽曲Ｔａ＋１の時間情報が、関連情報の一例である。本実施形態のＣＰＵ５２及びステップＳ５４５の処理により、楽曲Ｔａ、楽曲Ｔａ−１、及び楽曲Ｔａ＋１に共通すると判断される属性情報が、本発明の特定楽曲属性情報の一例である。
【００９３】
［変形例］
本実施形態の表示端末２０においては、時間情報が、タイトル、アーティスト名、及びアルバム名などの属性情報に対応付けされて記憶されている。表示端末２０は、歌詞管理サーバ５０へ、楽曲Ｔａ−１の時間情報と、楽曲Ｔａの時間情報と、楽曲Ｔａ＋１の時間情報とを送信しているが、これに限らない。例えば、楽曲Ｔａ、楽曲Ｔａ−１、及び楽曲Ｔａ＋１の属性情報が、時間情報とともに、歌詞管理サーバ５０へ送信されてもよい。
【００９４】
本実施形態の表示端末２０においては、再生する楽曲の時間情報とともに、歌詞管理サーバ５０へ送信される関連情報は、再生する楽曲の１曲前の楽曲の時間情報と、１曲後の楽曲の時間情報とであるが、これに限らない。歌詞管理サーバ５０へ送信される関連情報は、再生する楽曲を特定するために役立ち、且つ再生する楽曲に関連する情報であればよい。例えば、関連情報が、再生する楽曲の２曲前の楽曲の時間情報と、２曲後の楽曲の時間情報とであってもよい。ディスプレイ２１に表示されたプレイリストの複数の楽曲が、同一のアーティスト名またはアルバム名の属性情報を有するとき、再生順序を問わず、プレイリストの複数の楽曲の時間情報が、歌詞管理サーバ５０に送信されてもよい。また、歌詞管理サーバ５０に時間情報が送信される楽曲は、再生する曲より再生順序が前の楽曲または後の楽曲のいずれか一方の楽曲のみであってもよい。
【００９５】
本実施形態では、ユーザがディスプレイ２１を通して入力するユーザ情報及び、歌詞管理サーバ５０の楽曲ユーザ情報記憶領域５５２に記憶されるユーザ情報は、ユーザの性別、ユーザの年齢及びユーザの居住国であるが、これに限らない。ユーザ情報は、性別、年齢などの客観的な属性を示す情報に限らず、ユーザの属性を特定するために役立つ情報であればよい。例えば、ユーザ情報として、ユーザの音楽の嗜好を音楽ジャンル別に示すジャンル情報であってもよい。また、ユーザ情報として、ユーザの嗜好品、生活様式などユーザの感性に関連する主観的な属性を示す情報であってもよい。
【００９６】
本発明の楽曲の再生について、本実施形態では、図２の（Ｂ）に示すディスプレイ２１の三角形のマーカ２１ｂにより、再生される楽曲を示していたが、これに限らない。表示端末２０のディスプレイ２１に、再生される楽曲が判別可能に表示されていればよい。例えば、ディスプレイ２１に、複数の楽曲から構成されるプレイリストが表示されているとき、再生される楽曲に、再生を示す記号が付されてもよい。また、再生される楽曲の表示を、プレイリストの他の楽曲の表示と異ならせてもよい。例えば、再生される楽曲は、表示色を反転させてもよい。また、再生される楽曲の表示を、プレイリストの他の楽曲の表示と異なる色で表示してもよい。または、再生される楽曲のみが、ディスプレイ２１に表示されてもよい。
【符号の説明】
【００９７】
１  歌詞表示システム
２０  表示端末
２１  ディスプレイ
２１ａ  決定ボタン
２２  ＣＰＵ
２３  ＲＯＭ
２４  ＲＡＭ
２５  ＨＤＤ
２６  ネットワーク接続部
５０  歌詞管理サーバ
５５  ＨＤＤ
５５１  楽曲歌詞情報記憶領域
５６  ネットワーク接続部
【図１】
0005440570.tif 000002
【図２】
0005440570.tif 000003
【図３】
0005440570.tif 000004
【図４】
0005440570.tif 000005
【図５Ａ】
0005440570.tif 000006
【図５Ｂ】
0005440570.tif 000007
【図６】
0005440570.tif 000008
【図７】
0005440570.tif 000009
【図８】
0005440570.tif 000010
【図９】
0005440570.tif 000011
【図１０】
0005440570.tif 000012
【図１１】
0005440570.tif 000013
【図１２】
0005440570.tif 000014